(57)【要約】【課題】ウイングを境にした室内側からと、鍵を用いた室外側から、ウイングの施錠・解錠ができる、防犯性と確実な動作性に優れたウイング用のロック装置にする。【解決手段】室内側からはサムターン２の操作で、室外側からはシリンダ錠５の鍵穴５ａ内に挿し込んだ鍵７の操作で、ウイング１００の上端部と下端部からロックボルト１１，２１を施錠方向に夫々出没させて、ウイング１００の閉じ姿勢をロックさせる構造にした。【選択図】図７
2017198051.tif 000002
【特許請求の範囲】
【請求項１】
建物の出入口に設けたウイング内の上端部及び下端部の２か所から、該ウイング内に配設した２本のロックバーの各先端部を相対する上下方向に突出させて、閉じ姿勢にある前記ウイングが開かないようにロックするウイング用２点ロック装置であって、
前記ウイングの一方の面に取り付けられるサムターンと、
前記ウイングの他方の面に取り付けられる鍵穴のあるシリンダ錠と、
長尺な２本の前記ロックバーと、
前記サムターンの操作及び前記鍵穴内に挿し込んだ鍵の操作による往復回動を、前記２本のロックバーによる相対する上下運動に変換する動力変換機構と、を備え、
前記２本のロックバーのうちの１本は、先端部が前記ウイングの上端部から出没し得る向きと長さがあり、他の１本は、先端部が前記ウイングの下端部から出没し得る向きと長さがあり、
前記動力変換機構は、
前記ウイングの内部において前記サムターンと前記シリンダ錠との間に接続されて、該サムターンの操作及び前記鍵の操作により回動する回動体と、
該回動体の軸心と直交する方向の両側位置に振り分けられた位置で該回動体に係合して、該回動体の往復回動に対して相対する上下運動をする前記２本のロックバーの基部と、を組み合わせた機構である、ことを特徴とするウイング用２点ロック装置。
【請求項２】
前記回動体はピニオンであり、
前記各基部は、該ピニオンに夫々噛合する両側に振り分けられて配置された、該ピニオンの回転により相対する上下スライド方向に連動する一対のラックである、請求項１に記載のウイング用２点ロック装置。
【請求項３】
前記一対のラックは、前記ピニオンを間に位置させ、相対する上下方向のスライドが自在な状態で、ホルダ部材により保持されている、請求項２に記載のウイング用２点ロック装置。
【請求項４】
前記回動体は、前記サムターンと前記シリンダ錠との間に接続される中央部と、該中央部から横１８０°方向に振り分けられた向きで突出する両端部とが設けられた回動アームであり、
該両端部のうちの一方の端部に、前記２本のロックバーのうちの１本の基部における下端部が枢着され、
前記両端部のうちの他方の端部に、前記２本のロックバーのうちの他の１本の基部における上端部が枢着されている、請求項１に記載のウイング用２点ロック装置。
【請求項５】
前記サムターンと前記回転体とによる接続は、該サムターンから前方に突出する軸を介した、常に連動する接続であり、
前記シリンダ錠と前記回転体とによる接続は、前記鍵穴内に挿し込んだ鍵の操作に連動する一文字形状の突部が、前記回転体の他方の片側面に設けた凹部内に突入して、該突部の回動方向の向きの変化に応じて該凹部の側壁に係合する接続であり、
この係合は、前記鍵の抜き挿し可能な向きを基準とする前記突部のスタート角の向きから、施錠する９０°角の向き、及び解錠する−９０°角の向きの回動による押し動作により、前記回動体を連動させる係合と、
前記突部の施錠の向き及び解錠の向きから前記スタート角に戻る回動に対しては、前記突部の戻り方向に前記凹部による遊び空間があるために、前記突部のみが前記スタート角の位置に戻り、前記回動体は連動させないとする、係合である請求項１乃至４のいずれかの項に記載のウイング用２点ロック装置。
【発明の詳細な説明】
【技術分野】
【０００１】  本発明は、室内側からはサムターンの操作で、室外側からはシリンダに挿し込んだ鍵の操作で、建物出入口のウイングを上端部と下端部の２ヵ所をロック（施錠）させることができる、ウイング用２点ロック装置に関する。
【背景技術】
【０００２】  従来のウイング用ロック装置として、例えば特許文献１に開示の折戸用ロック装置がある。このロック装置は、折戸の中折れ近傍の下端部からロック本体２４を下部レール内に向けて突出させて、閉じ姿勢の折戸をロックさせる構造を有する。このロック装置では、折戸の下端部に設けられた操作片６６を指先で操作してロック本体２４の出没をさせる。
【先行技術文献】
【０００３】
【特許文献１】実開平５−３２６６４号公報
【発明の概要】
【発明が解決しようとする課題】
【０００４】  しかしながら、この折戸用ロック装置は、折戸の中折れ近傍の下端部をロックさせるが、折戸の上端部はロックさせない。このため、強風を受けたときの負圧で折戸が室外方向に引かれたときに、折戸の上部面が引き方向に曲げ破壊したり、折戸が折戸枠から外れたりし易く、また、バールを用いた戸破りを簡単に許す、という不具合がある。また、このロック装置は、室内側と室外側の双方からロック操作ができるが、室外側から鍵を使用しなくても、誰でもロック解除ができるという、防犯面における不具合がある。【０００５】  本発明は、室内側からはサムターンの操作で、室外側からはシリンダに挿し込んだ鍵の操作で、建物出入口のウイングを上端部と下端部の２ヵ所をロック（施錠）させることができる、防犯性に優れるウイング用２点ロック装置を提供することを解決課題とする。
【課題を解決するための手段】
【０００６】  請求項１に係るウイング用２点ロック装置は次の各構成を備える。
（１）建物の出入口に設けたウイング内の上端部及び下端部の２か所から、該ウイング内に配設した２本のロックバーの各先端部を相対する上下方向に突出させて、閉じ姿勢にある前記ウイングが開かないようにロックするウイング用２点ロック装置である。
（２）前記ウイングの一方の面に取り付けられるサムターンと、
前記ウイングの他方の面に取り付けられる鍵穴のあるシリンダ錠と、
長尺な２本の前記ロックバーと、
前記サムターンの操作及び前記鍵穴内に挿し込んだ鍵の操作による往復回動を、前記２本のロックバーによる相対する上下運動に変換する動力変換機構と、を備える。
（３）前記２本のロックバーのうちの１本は、先端部が前記ウイングの上端部から出没し得る向きと長さがあり、他の１本は、先端部が前記ウイングの下端部から出没し得る向きと長さがある。
（４）前記動力変換機構は、
前記ウイングの内部において前記サムターンと前記シリンダ錠との間に接続された、該サムターンの操作及び前記鍵の操作により回動する回動体と、
該回動体の軸心と直交する方向の両側位置に振り分けられた位置で該回動体に係合して、該回動体の往復回動に対して相対する上下運動をする前記２本のロックバーの基部と、を組み合わせた機構である。【０００７】  請求項２に係るウイング用２点ロック装置は次の各構成を備える。
（１）請求項１に記載の各構成を備える。
（２）前記回動体はピニオンである。
（３）前記各基部は、該ピニオンに夫々噛合する両側に振り分けられて配置された、該ピニオンの回転により相対する上下スライド方向に連動する一対のラックである。【０００８】  請求項３に係るウイング用２点ロック装置は次の各構成を備える。
（１）請求項２に記載の各構成を備える。
（２）前記一対のラックは、前記ピニオンを間に位置させ、相対する上下方向のスライドが自在な状態で、ホルダ部材により保持されている。【０００９】  請求項４に係るウイング用２点ロック装置は次の各構成を備える。
（１）請求項１に記載の構成を備える。
（２）前記回動体は、前記サムターンと前記シリンダ錠との間に接続される中央部と、該中央部から横１８０°方向に振り分けられた向きで突出する両端部とが設けられた回動アームである。
（３）該両端部のうちの一方の端部に、前記２本のロックバーのうちの１本の基部における下端部が枢着され、前記両端部のうちの他方の端部に、前記２本のロックバーのうちの他の１本の基部における上端部が枢着されている。【００１０】  請求項５に係るウイング用２点ロック装置は次の各構成を備える。
（１）請求項１に記載の構成を備える。
（２）前記サムターンと前記回転体とによる接続は、該サムターンから前方に突出する軸を介した、常に連動する接続である。
（３）前記シリンダ錠と前記回転体とによる接続は、前記鍵穴内に挿し込んだ鍵の操作に連動する一文字形状の突部が、前記回転体の他方の片側面に設けた凹部内に突入して、該突部の回動方向の向きの変化に応じて該凹部の側壁に係合する接続である。
（４）この係合の１つは、前記鍵の抜き挿し可能な向きを基準とする前記突部のスタート角の向きから、施錠する９０°角の向き、及び解錠する−９０°角の向きの回動による押し動作により、前記回動体を連動させる係合である。
（５）この係合の他の１つは、前記突部の施錠の向き及び解錠の向きから前記スタート角に戻る回動に対しては、前記突部の戻り方向に前記凹部による遊び空間があるために、前記突部のみが前記スタート角の位置に戻り、前記回動体は連動させないとする、係合である。
【本発明による効果】
【００１１】（１）室外側からはサムターンの操作で、室内側からはシリンダ錠の鍵穴に挿し込んだ鍵の操作で、建物出入口のウイングをロック（施錠）させたり、ロック解除（解錠）させることが出来るため、便利である。
（２）ウイングのロック（施錠）が、ウイングの上端部と下端部の２個所で行えるため、強風による負圧に強いウイングになる。また、この２個所のロックは、防犯効果が高い。
【発明を実施するための形態】
【００１２】  本発明の好適なる実施の形態を、以下の実施例において示す。
【図面の簡単な説明】
【００１３】
【図１】本発明実施形態に係るウイング用２点ロック装置の分解斜視図。
【図２】（ａ）はサムターンの正面図、（ｂ）は同じく側面断面図、（ｃ）は同じく背面側から見た斜視図。
【図３】（ａ）はシリンダ錠の正面図、（ｂ）は同じく側面図、（ｃ）は同じく背面側から見た斜視図。
【図４】（ａ）は回転体の一形態であるピニオンの正面図、（ｂ）は図４（ａ）におけるＡ−Ａ断面図、（ｃ）はピニオンを背面側から見た斜視図。
【図５】（ａ）はピニオンと２本のラック部とを組み合わせた状態の斜視図、（ｂ）はこの組み合わせた状態からさらにホルダ部材で保持した状態の斜視図、（ｃ）はこの保持した状態を反対側から見た斜視図。
【図６】本発明実施形態に係るウイング用２点ロック装置を備えたウイングの側面断面図。
【図７】（ａ）は同じくロックされていない状態で示す背面断面図、（ｂ）はロックした状態で示す背面断面図。
【図８】（ａ）はシリンダ錠先端部とサムターンとの間にピニオンを挟んだ接続構造を解錠状態で示した側面断面図、（ｂ）は解錠状態にあるシリンダ錠の先端部側の突部とピニオン側凹部とによる係合の位置関係を示した図、（ｃ）は解錠状態にあるピニオンとサムターンの向きを示した図、（ｄ）は施錠時のシリンダ錠の先端部側の突部とピニオン側凹部とによる係合の位置関係を示した図、（ｅ）は施錠時のシリンダ錠の先端部とピニオン側凹部とによる係合の位置関係を示した図、（ｆ）は施錠時のピニオンとサムターンの向きを示した図、（ｇ）は解錠動作時におけるシリンダ錠の先端部側の突部とピニオン側凹部とによる係合の位置関係を示した図、（ｈ）はこれに伴うサムターンの向きを示した図。
【図９】（ａ）（ｂ）はいずれも回転体の他形状である回動アームを備えたウイング用２点ロック装置を備えたウイングの背面断面図。
【実施例】
【００１４】［概要］
図１に示す本発明実施形態に係るウイング用２点ロック装置１（以下、本発明装置１と略称する。）は、サムターン２と、シリンダ錠５と、２本の平行なロックバー１０，２０と、回動体の１形態であるピニオン３０と、サムターン２の操作による回動をピニオン３０に伝達する角軸３と、シリンダ錠５の操作による回動をピニオン３０に伝達する突部６ａを有するコマ６と、一対のホルダ部材４０と、ホルダ部材４０の留めバネ４５，４５・・とを備える。【００１５】［サムターン２と角軸３］
図１及び図２に示すように、サムターン２は、従来品と同じ構造のものが用いられている。サムターン２は、図示しないウイング（開き戸）の室内側に向けた面に装着される室内側カバー５０に軸回動自在に支持されている。サムターン２の先端部には、短尺な角軸３の後端部が軸芯を揃えて、ビス４を用いた装着により装着されている。角軸３の後端部には、サムターン２の抜け外れを防ぐ鍔部３ａが一体形成されている。【００１６】［シリンダ錠５と突部６ａ］
図１及び図３に示すように、シリンダ錠５は、鍵穴２ａがある市販品が用いられている。シリンダ錠５の先端部には、鍵穴２ａ内に挿し込んだ鍵７の回動方向の操作に連動するコマ６が装着され、コマ６の先端部は一文字形状の突部６ａになっている。鍵７の挿し込みと引き抜きは、図１及び図３（ｂ）に示す縦向き姿勢で行われ、このとき突部６ａは図１及び図３（ｃ）に示すスタート角（基準角）である横向き姿勢の位置にある。鍵７は、縦向き姿勢から左右に９０°の角度、すなわち１８０°の範囲で回動操作でき、突部６ａもこの角度に連動する。【００１７】［ロックバー１０，２０］
ロックバー１０（２０）は、細軸で長尺な金属棒からなるロッド部１０ａ（２０ａ）と、先端部に相当するロックボルト１１（２１）と、基部に相当するラック部１２（２２）と、が一体構成された、一対品である。ロッド部１０ａ（２０ａ）とロックボルト１１（２１）、及び、ロッド部１０ａ（２０ａ）とラック部１２（２２）は、図示していないが、ねじ嵌合、カシメ入れ、連結菅を用いた連結等により接続されている。【００１８】［ラック部１２，２２の詳細な形状］
図１に示す２つのラック部１２，１２は、内側にピニオン３０の歯に噛合する歯が上下方向に並んで設けられ、ピニオン３０を間に挟んだ状態にすると、外側に向けた各３面の位置が上下一直線上に揃う角形の外形面を有する、左右対称形状の成形品である。【００１９】［ピニオン３０］
図１及び図４に示すピニオン３０は、軸心方向に厚みのあるピニオン歯がある本体部３１の両側に、外周が円形の突出部３２，２２が設けられ、一方の突出部３２の端面に、図２（ｂ）（ｃ）に示す角軸３を略密着状態で突入させる角穴３２ａが設けられ、他方の突出部３３の端面に、略ダルマ形の凹部３３ａが設けられた一体成型品である。凹部３３ａは、対向する位置に２つのＬ字形を形成する側壁３３ｂ，３３ｅ、３３ｃ、３３ｄと、対向する位置に２つの円弧面を形成する側壁３３ｆ，３３ｇと、を組み合わせた形状になっている。【００２０】［動力変換機構８］
本装置１が備える動力変換機構８は、回動体の１形態であるピニオン３０と、ピニオン３０の両側において噛合する平行な２本のラック部１２，２２と、２本のラック部１２，２２を相対する上下方向にスライド移動自在に保持するホルダ部材４０とが組み合わされて、ピニオン３０の回転によりラック部１２，２２が相対する上下方向にスライド移動する機構になっている。【００２１】［ラック部１２，２２とピニオン３０の組み付け］
図５（ａ）に示すように、ロッド部１０ａを上方に向けた一方のラック部１２と、ロッド部２０ａを下方に向けた他方のラック部２２との間に、ピニオン３０を噛合させた状態で組み合わせる。【００２２】［ホルダ部材４０］
図１に示すホルダ部材４０は、平面視において略［］形状を有する２つの片側部材４１，４２で構成されている。一方の片側部材４１の中央面には、ピニオン３０の一方の片側を支持する開口部４１ａと、シリンダ錠５の前部５ａに被せる被装部４１ｂが設けられている。他方の片側部材４２の中央面には、ピニオン３０の他方の片側を支持する開口部４２ａが設けられている。ホルダ部材４０は、２つの片側部材４１，４２を突き合わせて、留めバネ４５，４５・・で挟み付けると、平面視において口字形状になる。【００２３】  図１に示すホルダ部材４０は、好適とされる一例に過ぎない。例えば、留めバネ４５に代わる爪を片側部材４２に設け、爪受け穴又は突起を片側部材４１に設けて、爪係合により２つの片側部材４１，４２を組み付けるホルダ部材を用いてもよい。また、平面視において略コ字形状の両縁部にリブを対向させた１個型形状のホルダ部材を用いてもよい。【００２４】［ホルダ部材４０による２つのラック部材１２，２２の保持］
図５（ａ）に示すピニオン３０を間に介在させて組み合わせた２つのラック部１２，２２を、図５（ｂ）及び（ｃ）に示すように、ホルダ部材４０で横周囲を囲み、ピニオン４０の一方の片側にある突出部３３を、ホルダ部材４１の一方の片側面にある開口部４１ａ内に突入させ、他方の片側面にある突出部３４を、ホルダ部材４２の他方の片側面にある開口部４１内に突入させた保持構造にすると、１つのユニット品になる。【００２５】［本発明装置１のウイング１００に向けた取り付け］
この取り付けでは、図６に示すように、ウイング１００の室外側に向けた面にシリンダ錠５が取り付けられ、ウイング１００の室内側に向けた面にサムターン２が縦向き姿勢で取り付けられ、ウイング１００の内側に上記ユニット品が配設される。
この配設により、シリンダ錠５側の突部６ａをピニオン３０側の凹部３３ａ内に突入させ、サムターン２側の角軸３をピニオン３０側の角穴３２ａ内に突入させ、上向き姿勢にあるロックバー１０の先端部（ロックボルト１１）をウイング１００上端のロックボルトガイド孔１０１内に突入させた動力伝達構造にする。【００２６】  この動力伝達構造では、シリンダ錠５内部の軸心と、ピニオン３０の軸心と、角軸３及びサムターン２の軸心は、一直線上に並んだ状態になる（一致する）。【００２７】  上述した配設においては、下向き姿勢にあるロックバー２０の先端部（ロックボルト２１）をウイング１００下端のロックボルトガイド孔１０２内に突入させた状態にする。このようにすると、本発明装置１を備えたウイング１００になる。【００２８】［ロックバー１０，１２の上下移動］
図７（ａ）（ｂ）に示すように、ラック部材１２，２２は、ホルダ部材４０によって上下スライド自在に保持された状態でピニオン３０の両側に噛合した状態にある。このため、ピニオン３０の回動によって、相対する上下方向にスライドする。
図７（ａ）はロック解除の状態が示され、（ｂ）はロック状態が示されている。
ウイング１００を閉じた状態にして、上下一直線上に並んで位置する上部側のロックバー１０の先端部（ロックボルト１１）を、上枠１１０に設けられているロックボルト突入孔１１０ａ内に向けて突入させ、同時に、下部側のロックバー２０の先端部（ロックボルト２１）を、下枠１２０に設けられているロックボルト突入孔１２０ａ内に突入させると、ウイング１００の閉じた状態がロック（施錠）される。
図７（ａ）（ｂ）に示すように、ピニオン３０の９０°回動によりロックボルト１１，２１は施錠と解錠の高さに位置変化する。このため、本明細書では、「回転」という語を用いないで、「回動」という語を用いた。【００２９】［鍵操作による動力伝達］
図８（ａ）はシリンダ錠５内に鍵７を挿し込んだだけの状態で、施錠の操作前の状態を示している。この状態では、突部６ａは図８（ｂ）に示すスタート角に相当する横向き姿勢であり、サムターン２は解錠姿勢である図６（ｃ）に示す縦向き姿勢である。【００３０】  この状態から、図８（ｄ）に示すように鍵７を施錠方向に９０°回転操作すると、図６（ｅ）に示すように突部６ａが凹部３３ａ内の側壁３３ｃ，３３ｅを矢方向に押して、ピニオン３０を９０°回動させる。この回動に連動して、図８（ｆ）に示すようにサムターン２は施錠姿勢である横向きになる。【００３１】  鍵７を図８（ｄ）に示す施錠させた向きから戻り方向に９０°逆回転させると、突部６ａは元のスタート角の縦向き姿勢に戻り、鍵７の引き抜きが可能になるが、突部６ａの戻り回転方向には凹部３３ａによる遊び空間があるため、ピニオン３０は回転せず、サムターン２は図６（ｆ）に示す横向きの施錠姿勢のままである。【００３２】  鍵７を図８（ｄ）に示す向きから１８０°解錠方向に逆回転させると、突部６ａも同方向に１８０°逆回転するが、突部６ａの逆回転方向には凹部３３ａによる遊び空間があるため、突部６ａの前半の回転ではピニオン３０を回転させない。図６（ｇ）に示すように突部６ａの後半の回転時に、突部６ａが凹部３３ａ内の側壁３３ｂ，３３ｄを矢方向に押し、ピニオン３０を９０°逆回転させる。この回転に連動してサムターン２は、図６（ｈ）に示す解錠姿勢である縦向きに戻る。【００３３】  図８をもとにした上述の説明は、鍵７の操作に依るものであるが、サムターン２を操作した場合には、ピニオン３０は施錠及び解錠の方向に軸回転するが、突部６ａは、凹部３３ａによる回転前半方向の遊びがあるため、スタート角の向きのままである。このため、施錠状態であるか解錠状態であるかを問わず、鍵７は図８に示す縦向きの姿勢で、シリンダ錠５内に抜き挿しできる。【００３４】［回動アーム３００を用いたウイング用２点ロック装置１Ｘ］
図９（ａ）（ｂ）に、ピニオンに代わる回動体として回動アーム３００を用いたウイング用２点ロック装置１Ｘが、ロック解除の状態とロック状態で示されている。
この２点ロック装置１Ｘに用いられている回動アーム３００は、中央の片側面に角軸３を突入させる角穴３０２がある突出部３０１が設けられ、図示していないが前述と同様の突部（６ａ）を突入させる凹部（３０ａ）が設けられ、軸心と直交する１８０°両側方向にアーム部３０３，３０３が設けられた一体品である。
この２点ロック装置１Ｘにおいては、アーム部３０３，３０４の先端部に、ロッド状のロックバー１０，２０の基部１０ａ，２０ａが振り分けられて枢着されている。図示していないが、この２点ロック装置１Ｘも、前述と同様に、鍵穴のあるシリンダ錠に挿し込んだ鍵の操作と、サムターンの操作で、ウイング１００の上端部と下端部をロック（施錠）させる。
【産業上の利用分野】
【００３５】  本発明装置は、建物の出入口の取り付けられたウイングの施錠と解錠をする装置であり、建築分野において利用価値がある。
【符号の説明】
【００３６】    １    ウイング用２点スライドロック装置
２    サムターン
３    角軸
５    シリンダ錠
５ａ  鍵穴
６ａ  突部
７    鍵
８    動力変換機構
１０    ロックバー
１１    ロックボルト
１２    ラック部
２０    ロックバー
２１    ロックボルト
２２    ラック部
３０    ピニオン
３３ａ  凹部
４０    ホルダ部材
１００    ウイング
１Ｘ    回動アームを用いたウイング用２点ロック装置
３００    回動アーム
【図１】
2017198051.tif 000003
【図２】
2017198051.tif 000004
【図３】
2017198051.tif 000005
【図４】
2017198051.tif 000006
【図５】
2017198051.tif 000007
【図６】
2017198051.tif 000008
【図７】
2017198051.tif 000009
【図８】
2017198051.tif 000010
【図９】
2017198051.tif 000011